(57)【要約】      （修正有）【課題】火災時にも燃え難く、且つ、安全性・作業性・メンテナンス性・経済性等に優れ、且つ、美観的にも綺麗な衝撃吸収型仕切防煙垂壁を提供する。【解決手段】仕切防煙垂壁の左右両端部に設け、且つ、断面形状をＨ型形状、或いは、略Ｈ型形状に形成した吊り下げボルト用化粧カバー１の外側開口部１ａに、軟質板状の緩衝部材２を、嵌着部材３を介して嵌着して設ける。又、軟質板状の緩衝部材の係止構造が、一端部を、嵌着部材の外周部に、該緩衝部材の一端部を巻回すると共に、他端部を、所定寸法の緩みを持たせてＵ字状に折り曲げ、前記嵌着部材に巻回した該緩衝部材を、吊り下げボルト用化粧カバーの外側開口部に嵌挿して固定する。【選択図】図１
0003175735.tif 000002
【実用新案登録請求の範囲】
【請求項１】
左右両端部に緩衝部材を係止して壁面及び柱面（Ｐ）に当接して設け、地震・火災時等の災害時に衝撃を吸収して防煙垂壁の破損を防止する仕切防煙垂壁において、該仕切防煙垂壁の左右両端部に設け、且つ、断面形状をＨ型形状、或いは、略Ｈ型形状に形成した吊り下げボルト用化粧カバー（１）の外側開口部（１ａ）に、軟質板状の緩衝部材（２）を、嵌着部材（３）を介して嵌着して設けたことを特徴とする衝撃吸収型仕切防煙垂壁。
【請求項２】
請求項１記載の軟質板状の緩衝部材（２）の係止構造が、一端部を、嵌着部材（３）の外周部に、該緩衝部材（２）の一端部を巻回すると共に、他端部を、所定寸法（Ｗ）の緩みを持たせてＵ字状に折り曲げ、前記嵌着部材（３）に巻回した該緩衝部材（２）を、吊り下げボルト用化粧カバー（１）の外側開口部（１ａ）に嵌挿して固定することを特徴とする衝撃吸収型仕切防煙垂壁。
【考案の詳細な説明】
【技術分野】
【０００１】
この考案は、左右両側端部に緩衝部材を係止して壁面及び柱面に当接して設け、地震・火災時等の災害時に衝撃を吸収して防煙垂壁の破損を防止する衝撃吸収型仕切防煙垂壁に関するものである。
【背景技術】
【０００２】
従来、建築基準法により、所定以上の床面積を有する建築物には、天井より垂れ壁を設けて、火災の際、煙の移動を阻止する為の防煙垂壁を設けるよう義務付けられている。しかし、防煙垂壁の法規では、「材料は不燃認定材を用いるとあり」、又、近年、表面からは見えない、目地としては使用可能であると言われている。
【０００３】
そして、上記防煙垂壁は、左右両下端部を天井レールから垂下した吊り下げボルトと、ガラス受けで天井レールに固定した複数枚のガラスを連設し、且つ、壁面側に防煙垂壁の端面高さ及び幅寸法に適合したテープ状の弾性及び粘着性絶縁材を貼着し、該防煙垂壁の設置開始部或いは終了部の端面と弾性絶縁材の両隙間部に、シリコン又は接着剤等の弾性材を密封して固着したものである。
【０００４】
２００５年３月２０日に発生した、福岡西方沖地震では、１０階建てのビルの窓ガラスを、サッシ内に納めるところ、シリコン系シーリング材ではなく、硬化性パテ等を使用していたため、数百枚の大型ガラスが落下した事件があり、建築学会でも問題視されていた。又、万が一火災等が発生した場合を想定すると、弾性材が燃え易い露出構造になっており、且つ、美観的にも綺麗とはいえない為、更なる改善が求められ、Ｈ２３年１２月防煙垂壁の中間継手構造に関する実用新案登録（実願２０１１−００７１０８）を出願し、好評を得ている。しかし、前記にも述べたように耐震性を考慮し、且つ、安全性・作業性・メンテナンス性・経済性等に優れ、且つ、先に出願した中間継手構造（吊り下げボルト用化粧カバー）との組み合わせによる、衝撃吸収型仕切防煙垂壁はこれまでに出願されていない。
【０００５】
これまでに出願されている防煙垂壁の特許文献を参考の為、紹介する（特許文献１〜３参照）。
【特許文献１】実公昭５３−２８９６号広報
【特許文献２】実公昭５３−７５４３号広報
【特許文献３】実用新案登録第３１７３６２０
【考案の開示】
【考案が解決しようとする課題】
【０００６】
そこで、上記課題を解決する為に、この考案は火災時にも燃え難く、且つ、安全性・作業性・メンテナンス性・経済性等に優れ、且つ、美観的にも綺麗な衝撃吸収型仕切防煙垂壁を早期に開発・提供する事にある。
【課題を解決するための手段】
【０００７】
この課題を解決する為の手段として、仕切防煙垂壁の左右両端部に設け、且つ、断面形状をＨ型形状、或いは、略Ｈ型形状に形成した吊り下げボルト用化粧カバーの外側開口部に、軟質板状の緩衝部材を、嵌着部材を介して嵌着して設けたことを特徴とするものである。
【０００８】
又、軟質板状の緩衝部材の係止構造が、一端部を、嵌着部材の外周部に、該緩衝部材の一端部を巻回すると共に、他端部を、所定寸法の緩みを持たせてＵ字状に折り曲げ、前記嵌着部材に巻回した該緩衝部材を、吊り下げボルト用化粧カバーの外側開口部に嵌挿して固定することを特徴とするものである。
【考案の効果】
【０００９】
この考案の効果として、仕切防煙垂壁の左右両端部に設け、且つ、断面形状をＨ型形状、或いは、略Ｈ型形状に形成した吊り下げボルト用化粧カバーの外側開口部に、軟質板状の緩衝部材を、嵌着部材を介して嵌着して設けたことを特徴とし、又、軟質板状の緩衝部材の係止構造が、一端部を、嵌着部材の外周部に、該緩衝部材の一端部を巻回すると共に、他端部を、所定寸法の緩みを持たせてＵ字状に折り曲げ、前記嵌着部材に巻回した該緩衝部材を、吊り下げボルト用化粧カバーの外側開口部に嵌挿して固定することを特徴とする事で、火災時にも燃え難く、且つ、安全性・作業性・メンテナンス性・経済性等に優れ、且つ、美観的にも非常に綺麗である等、極めて有益なる効果を奏するものである。
【図面の簡単な説明】
【００１０】
【図１】この考案の一実施例を示し、（Ａ）は化粧カバーと緩衝部材の嵌合部を示す平面図を示し、（Ｂ）は一部欠截正面図である。
【図２】この考案の一実施例を示し、衝撃吸収型仕切防煙垂壁の組立要領斜視図である。
【図３】この考案の一実施例を示し、図２のａ−ａ矢視組立断面図である。
【考案を実施するための形態】
【００１１】
この考案を実施するための形態として、左右両端部に緩衝部材を係止して壁面及び柱面（Ｐ）に当接して設け、地震・火災時等の災害時に衝撃を吸収して防煙垂壁の破損を防止する仕切防煙垂壁において、該仕切防煙垂壁の左右両端部に設け、且つ、断面形状をＨ型形状、或いは、略Ｈ型形状に形成した吊り下げボルト用化粧カバー（１）の外側開口部（１ａ）に、軟質板状の緩衝部材（２）を、嵌着部材（３）を介して嵌着して設けたことを特徴とする衝撃吸収型仕切防煙垂壁から構成される。
【００１２】
又、軟質板状の緩衝部材（２）の係止構造が、一端部を、嵌着部材（３）の外周部に、該緩衝部材（２）の一端部を巻回すると共に、他端部を、所定寸法（Ｗ）の緩みを持たせてＵ字状に折り曲げ、前記嵌着部材（３）に巻回した該緩衝部材（２）を、吊り下げボルト用化粧カバー（１）の外側開口部（１ａ）に嵌挿して固定することを特徴とする衝撃吸収型仕切防煙垂壁から構成される。
【実施例１】
【００１３】
そこで、この考案の一実施例を図１〜図３に基づいて詳述すると、まず、図１（Ａ）は化粧カバーと緩衝部材の嵌合部を示す平面図を示し、（Ｂ）は一部欠截正面図を示す。平面図に示すように、所定幅寸法と所定長さを有する軟質不燃性グラスファイバー等の軟質板状の緩衝部材（２）の両端部を、吊り下げボルト用化粧カバー（１）の外側開口部（１ａ）の内面寸法、及び、縦方向の長さ寸法に適合する嵌着用筒状部材（３）に包囲巻回し、且つ、所定幅寸法（Ｗ）の緩みを持たせてそれぞれ巻着し、且つ、巻着保持した一方側の緩衝部材（２）と嵌着用筒状部材（３）を、同時に吊り下げボルト用化粧カバー（１）の外側開口部（１ａ）にそれぞれ挿入し、嵌着して設けたものである。
【００１４】
次に、仕切防煙垂壁の吊り下げボルト用化粧カバーの取付要領について説明すると、図２に示すように、下端部にガラス下端部用化粧カバー（ＵＣ）をそれぞれ挿着して設けた、複数のガラス（Ｇ）を、天井レール（Ｘ）の溝部に設けた、弾性シーリング材で挟着し、且つ、該ガラス（Ｇ）の左右両端部に、吊り下げボルト用化粧カバー（１）をそれぞれ挟着して設け、且つ、該ガラス（Ｇ）及び吊り下げボルト用化粧カバー（１）の左右両下端部を、天井レール（Ｘ）から吊り下げたネジ切りプレート（Ａ）と、吊り下げボルト（Ｃ）と、連接部ガラス受け（ＧＳ）によってそれぞれ固定し、最後に吊り下げボルト用化粧カバー（１）の左右両側隙間部に弾性シーリング材をそれぞれ密封して固着する。
【００１５】
そして、更に吊り下げボルト用化粧カバー（１）の外側両端部には、前記（００１３）で説明したように、吊り下げボルト用化粧カバー（１）の外側開口部（１ａ）に、筒状部材（３）に包囲し、巻着して設けた軟質板状の緩衝部材（２）をそれぞれ嵌着して設け、更に、Ｕ字状又は達磨状に巻着した軟質板状の緩衝部材（２）の両端部は、壁面及び柱面（Ｐ）に当接して設けられている。これによって、万が一災害によって地震等が発生しても、緩衝部材（２）が衝撃を吸収して、ガラス（Ｇ）破損を防止するものである。
【００１６】
尚、前記の内側開口部側に吊り下げボルト挿通用溝部（１ｃ）を設けた吊り下げボルト用化粧カバー（１）については、これに限定するものではなく、例えば、Ｈ型形状の化粧カバーを使用しても構わない。
【００１７】
又、前記実施例１の嵌着用筒状部材（３）に関しては、筒状に限定するものではなく、例えば、化粧カバー（１）の外側開口部に適合する外寸法を有し、且つ、断面形状がコの字状・四角形状・楕円形状・三角形状等の嵌着部材を使用しても構わない。
【００１８】
図３は、図２（衝撃吸収型仕切防煙垂壁の組立要領斜視図）のａ−ａ矢視組立断面図を示す。
【産業上の利用可能性】
【００１９】
この考案の衝撃吸収型仕切防煙垂壁は、火災時にも燃え難く、且つ、安全性・作業性・メンテナンス性・経済性等に優れ、且つ、美観的にも綺麗である為、製造・販売することで、多くの建設関係市場に寄与する点で、産業上の利用可能性を有する。
【符号の説明】
【００２０】
１  吊り下げボルト用化粧カバー
１ａ  外側開口部
１ａ'  波型形状の凹凸部（外側開口部側）
１ｂ  内側開口部
１ｂ'  波型形状の凹凸部（内側開口部側）
１ｃ  吊り下げボルト挿通用溝部
２  緩衝部材
３  嵌着用筒状部材
Ａ  ネジ切りプレート
Ｃ  吊り下げボルト
Ｅ  シリコン等の弾性材
Ｇ  ガラス又は不燃性シート
ＧＳ  連接部ガラス受け
Ｐ  壁面及び柱面
ＵＣ  ガラス下端部用化粧カバー
Ｘ  天井レール
【図１】
0003175735.tif 000003
【図２】
0003175735.tif 000004
【図３】
0003175735.tif 000005